(57)【特許請求の範囲】
【請求項１】
容器に当該電極保持器を取り付けるための連結体と、電極体の外周を囲んで該電極体と前記連結体とを絶縁する絶縁体とを有し、前記連結体の内面には、突出部が形成され、前記連結体の一端がかしめられて該一端と前記突出部との間で絶縁体を締め付けるようにした電極保持器において、
前記連結体の他端に切り欠きを形成して該他端をかしめて絶縁体に密着させることを特徴とする電極保持器。
【請求項２】
前記切り欠きを、筒状の前記連結体の周方向に沿って複数形成した請求項１記載の電極保持器。
【請求項３】
筒状の連結体の内周面に形成される前記突出部は、前記一端側へ屈曲形成される請求項１または２に記載の電極保持器。
【発明の詳細な説明】
【０００１】
【発明の属する技術分野】
本発明は、ボイラーやタンクなどの液面制御等に用いられる電極を保持する電極保持器に関する。
【０００２】
【従来の技術】
図４は、従来例の電極保持器の一部断面図である。
【０００３】
この電極保持器１は、ボイラーやタンクなどの液体容器２へ取り付けるための連結体としての連結金具３と、この連結金具３の中心に配置した電極体としての電極軸４と、連結金具３と電極軸４とを電気的に絶縁するとともに、両者間の隙間をシールする、例えばフッ素樹脂などからなる絶縁体５とを有している。
【０００４】
この電極保持器１を、金属製の液体容器２に取り付けた状態において、電極軸４の液体容器２側の端部には、接続ナット６および締め付けボルト７によって検出用の電極棒８が接続され、この電極棒８の先端を検出すべき所望の液面レベルに位置させている。
【０００５】
そして、電極軸４の液体容器２外側の配線９が接続された端部と液体容器２との間の導通状態の変化を検出することにより、液体容器２内の液面レベルが電極棒８の先端に達したか否かを検出するのである。
【０００６】
【発明が解決しようとする課題】
このような従来例の電極保持器１では、電極軸４、連結金具３および絶縁体５を、射出成形によって一体成形し、連結金具３の上端３ｂをかしめることによって、この上端３ｂと連結金具３の中途内周に突設された鉤状の環状片３ａとの間で絶縁体５を締め付けてシール性を確保するようにしているのであるが、この環状片３ａのために、電極軸４との間の絶縁体５の肉厚の薄い部分が存在することになる。
【０００７】
このため、検出用の電極棒８を電極軸４に取り付ける際に、接続ナット６を締め過ぎると、電極軸４と一体の絶縁体５が接続ナット６と一体に回転しようとし、絶縁体５の肉厚の薄い部分でねじ切れたり、クラックが入って絶縁性の劣化を来す場合があるという難点がある。
【０００８】
本発明は、上述の技術的課題に鑑みてなされたものであって、絶縁体がねじ切れたり、クラックが生じたりすることによる絶縁性の劣化を防止した電極保持器を提供することを目的とする。
【０００９】
【課題を解決するための手段】
本発明では、上述の目的を達成するために、次のように構成している。
【００１０】
すなわち、請求項１に係る本発明は、容器に当該電極保持器を取り付けるための連結体と、電極体の外周を囲んで該電極体と前記連結体とを絶縁する絶縁体とを有し、前記連結体の内面には、突出部が形成され、前記連結体の一端がかしめられて該一端と前記突出部との間で絶縁体を締め付けるようにした電極保持器において、前記連結体の他端に切り欠きを形成して該他端をかしめて絶縁体に密着させるものである。
【００１２】
請求項２に係る本発明は、請求項１記載の構成において、前記切り欠きを、筒状の前記連結体の周方向に沿って複数形成している。
【００１４】
請求項３に係る本発明は、請求項１または２に記載の構成において、筒状の連結体の内周面に形成される前記突出部は、前記一端側へ屈曲形成されるものである。
【００１５】
請求項１に係る本発明によれば、連結体の他端に切り欠きを形成して該他端をかしめて絶縁体に密着させるので、電極体に接続ナットを介して電極棒を接続する際に、電極体およびそれに一体の絶縁体を回転させようとする力が作用しても、連結体の他端が絶縁体に密着して食い込んでいるので、絶縁体の回転が阻止されることになる。
【００１７】
請求項２に係る本発明によれば、切り欠きを、筒状の連結体の周方向に沿って複数設けているので、電極体と一体の絶縁体の回転が一層確実に阻止されることになる。
【００１９】
請求項３に係る本発明によれば、一端側へ屈曲形成された突出部とかしめられる一端側との間の絶縁体が締め付けられてシール性が向上する。
【００２０】
【発明の実施の形態】
以下、本発明に係る電極保持器の実施形態を図面に基づいて説明する。
【００２１】
（実施の形態１）
図１は、本発明の実施の形態１の電極保持器の一部断面図であり、図４の従来例に対応する部分には、同一の参照符号を付す。
【００２２】
この実施の形態の電極保持器１1は、電極体としての金属製の電極軸４と、当該電極保持器１1を液体容器２に取り付けるための連結体としての筒状の連結金具３と、電極軸４と連結金具３とを絶縁するとともに、両者間の隙間をシールする筒状の絶縁体５とを備えている。
【００２３】
連結金具３の中途内面には、上方（上端側）へ向けて屈曲しかつ絶縁体５に食い込む突出部としての環状片３ａが突設されており、また、下部外周には、液体容器２に取り付けるためのネジ部３ｃが形成され、その上部は、ネジ部３ｃよりも大径の取付面３ｄを有し、さらに、その上部には、工具によって当該電極保持器１1を液体容器２にねじ込むための六角部３ｅを有している。上記環状片３ａによって形成される内周の形状は、三角、四角、六角等の多角形が好ましいが、円形であってもよい。
【００２４】
電極軸４の下端には、接続ナット６および締め付けボルト７を介して液体容器２内に垂下される電極棒８が接続される。電極軸４の上端側は、図示しない計測機器への配線９を行うための端子部とされている。
【００２５】
電極軸４と連結金具３とを絶縁する絶縁体５は、上述のように電気絶縁性を有する他、電極軸４と連結金具３との間の隙間をシールするものであり、さらに、ボイラー等の液面レベルセンサとして使用するような場合には、耐薬品性、耐熱性等を有する材料が用いられる。例えば、ＰＴＦＥ（ポリテトラフルオロエチレン）やＰＦＡ（テトラフルオロエチレン−ペルフルオロアルキルビニールエーテル共重合体）等のフッ素樹脂を使用することができる。さらに、熱水に対しての耐性の高いものとしては、ポリエーテルエーテルケトン等のケトン系合成樹脂材料やポリエーテルサルホン等の芳香族ポリサルホン系合成樹脂材料が好ましい。
【００２６】
この実施の形態では、図４の従来例と同様に、電極軸４、連結金具３および絶縁体５は、電極軸４および連結金具３を所定の位置関係に保持した状態で射出成形によって一体成形され、この一体成形された連結金具３の上端３ｂをかしめることによって、環状片３ａとの間で絶縁体５を締め付けてシールするようにしている。
【００２７】
この電極保持器１1には、上述のように、電極軸４の下端に、接続ナット６および締め付けボルト７を介して液体容器２内に垂下される電極棒８が接続されるのであるが、接続ナット６による締め付けが強すぎると、電極軸４と一体の絶縁体５が接続ナット６と一体に回転しようとして絶縁体６の肉厚の薄い部分、すなわち、環状片３ａが形成されているために絶縁体５の肉厚が薄くなっている部分でねじ切れたり、クラックが入って絶縁性の劣化を来すのであるが、このような不具合を防止するために、次のように構成している。
【００２８】
すなわち、この実施の形態では、図２およびその切断面線Ａ−Ａから見た断面図である図３に示されるように、電極軸４、連結金具３および絶縁体５を、射出成形によって一体成形した後に、連結金具３の上端３ｂおよび下端３ｆを、それぞれかしめるようにしている。
【００２９】
しかも、連結金具３の下端３ｆには、図３に示されるように、対向する二か所に切り欠き３ｈを形成しており、これによって、下端３ｆをかしめて絶縁体５に食い込ませて密着させるように構成している。
【００３０】
このように、連結金具３の下端３ｆに切り欠き３ｈを形成してかしめることによって、連結金具３を絶縁体５に食い込ませているので、電極軸４に接続ナット６を介して電極棒８を接続する際に、電極軸４に回転しようとする力が作用しても、電極軸４と一体の絶縁体５の回転は、連結金具３の下端３ｆによって阻止されることになり、これによって、環状片３ａが突設されている絶縁体５の肉厚の薄い部分でねじ切れたり、クラックが入るのを防止できることになる。
【００３１】
このように、連結金具３の下端３ｆもかしめるので、上述のように、絶縁体５の回転を阻止できるとともに、上端３ｂだけをかしめる従来例に比べてシール性が向上する。
【００３２】
なお、切り欠きの数や形状は、上述の実施の形態に限らず、任意に選択してもよい。
【００３８】
【発明の効果】
以上のように本発明によれば、次のような効果が奏される。
【００３９】
請求項１に係る本発明によれば、連結体の他端に切り欠きを形成して該他端をかしめて絶縁体に密着させるので、電極体に電極棒を接続する際に、電極体およびそれに一体の絶縁体を回転させようとする力が作用しても、連結体の他端が絶縁体に密着して食い込んでいるので、絶縁体の回転が阻止されることになり、これによって、絶縁体の肉厚の薄い部分でネジ切れたり、クラックが生じることによる絶縁性の劣化を防止することができる。
【００４１】
請求項２に係る本発明によれば、切り欠きを、筒状の連結体の周方向に沿って複数設けているので、絶縁体の回転が一層確実に阻止されて絶縁体のネジ切れやクラックの発生を防止できる。
【００４３】
請求項３に係る本発明によれば、連結体の屈曲形成された突出部とかしめられる一端側との間の絶縁体が締め付けられてシール性が向上する。
【図面の簡単な説明】
【図１】  本発明の実施の形態１の一部断面図である。
【図２】  図１の電極保持器の製作手順を示す一部断面図である。
【図３】  図２の切断面線Ａ−Ａから見た断面図である。
【図４】  従来例の一部断面図である。
【符号の説明】
１，１1  電極保持器
２              液体容器
３              連結金具
３ｈ            切り欠き
４              電極軸
【図１】
0003717672.tif 000002
【図２】
0003717672.tif 000003
【図３】
0003717672.tif 000004
【図４】
0003717672.tif 000005